(57)【要約】【課題】受信した複数のクライアント信号のビットレートが異なる場合でも、設定周波数の違いを手動で切り替える必要がないトランスポンダを提供する。【解決手段】光信号受信手段１１１から送られた電気信号に６４Ｂ／６６Ｂ符号同期ビットが含まれていた場合に応答して可変オシュレータ１２及び可変オシュレータ１４の選択を指示する制御信号をＰＬＬ選択制御回路１５１０に対して通知する６４Ｂ／６６Ｂ符号同期ビット判定回路１５１１ａと、光信号受信手段１１１から送られた電気信号にＡ１Ａ２バイトが含まれていた場合に応答して可変オシュレータ１１及び可変オシュレータ１３の選択を指示する制御信号をＰＬＬ選択制御回路１５１０ｂに対して通知するＡ１Ａ２バイト判定回路１５１１ｂと、制御信号に基づいて、ＰＬＬセレクター１６及びＰＬＬセレクター１７を制御するＰＬＬ選択制御回路１５１２とを備える。【選択図】図３
2008227792.tif 000002
【特許請求の範囲】
【請求項１】
信号を中継するトランスポンダであって、
複数の受信信号の種類を識別する機能を有することを特徴とするトランスポンダ。
【請求項２】
前記受信信号の識別結果に基づいて、当該受信信号の伝送モードを切り替えることを特徴とする請求項１に記載のトランスポンダ。
【請求項３】
前記伝送モードの切り替えを、前記受信信号の伝送に用いる前記受信信号毎に設定された複数のクロック信号から、前記受信信号に応じた前記クロック信号を選択することによって行うことを特徴とする請求項２に記載のトランスポンダ。
【請求項４】
複数の前記受信信号が、ＳＴＭ−６４／ＯＣ−１９２信号か１０ギガビットイーサネット信号であることを特徴とする請求項１から請求項３のいずれか１項に記載のトランスポンダ。
【請求項５】
Ａ１Ａ２バイト又は６４Ｂ／６６Ｂ符号同期ビットを検出することによって、前記受信信号が前記ＳＴＭ−６４／ＯＣ−１９２信号か前記１０ギガビットイーサネット信号かを識別することを特徴とする請求項４に記載のトランスポンダ。
【請求項６】
受信信号の入力周波数を基準クロックに基づいてカウントしたカウント結果に基づいて、前記受信信号の種類を識別することを特徴とする請求項１から請求項４のいずれか１項に記載のトランスポンダ。
【請求項７】
請求項１から請求項６のいずれか１項に記載のトランスポンダを備えることを特徴とする伝送システム。
【請求項８】
信号を中継するトランスポンダにおける前記信号の伝送方法であって、
複数の受信信号の種類を識別するステップを有することを特徴とする伝送方法。
【請求項９】
前記受信信号の識別結果に基づいて、当該受信信号の伝送モードを切り替えるステップを有することを特徴とする請求項８に記載の伝送方法。
【請求項１０】
前記伝送モードの切り替えるステップにおいて、
前記受信信号の伝送に用いる前記受信信号毎に設定された複数のクロック信号から、前記受信信号に応じた前記クロック信号を選択することによって前記伝送モードを切り替えることを特徴とする請求項９に記載の伝送方法。
【請求項１１】
前記複数の受信信号の種類を識別するステップにおいて、
Ａ１Ａ２バイト又は６４Ｂ／６６Ｂ符号同期ビットを検出することによって、前記受信信号が前記ＳＴＭ−６４／ＯＣ−１９２信号か前記１０ギガビットイーサネット信号かを識別することを特徴とする請求項８から請求項１０のいずれか１項に記載の伝送方法。
【請求項１２】
前記複数の受信信号の種類を識別するステップにおいて、
受信信号の入力周波数を基準クロックに基づいてカウントしたカウント結果に基づいて、前記受信信号の種類を識別することを特徴とする請求項８から請求項１０のいずれか１項に記載の伝送方法。
【請求項１３】
信号を中継するトランスポンダ上で実行される前記信号を伝送するための伝送プログラムであって、
前記トランスポンダに、
複数の受信信号の種類を識別する処理を実行させることを特徴とする伝送プログラム。
【請求項１４】
前記トランスポンダに、
前記受信信号の識別結果に基づいて、当該受信信号の伝送モードを切り替える処理を実行させることを特徴とする請求項１３に記載の伝送プログラム。
【請求項１５】
前記トランスポンダに、
前記伝送モードの切り替えを、前記受信信号の伝送に用いる前記受信信号毎に設定された複数のクロック信号から、前記受信信号に応じた前記クロック信号を選択することによって行わせることを特徴とする請求項１４に記載の伝送プログラム。
【請求項１６】
Ａ１Ａ２バイト又は６４Ｂ／６６Ｂ符号同期ビットを検出することによって、前記受信信号が前記ＳＴＭ−６４／ＯＣ−１９２信号か前記１０ギガビットイーサネット信号かを識別する処理を実行させることを特徴とする請求項１３から請求項１５のいずれか１項に記載の伝送プログラム。
【請求項１７】
受信信号の入力周波数を基準クロックに基づいてカウントしたカウント結果に基づいて、前記受信信号の種類を識別する処理を実行させることを特徴とする請求項１３から請求項１５のいずれか１項に記載の伝送プログラム。
【発明の詳細な説明】
【技術分野】
【０００１】
本発明は、信号を中継するトランスポンダ、伝送システム、伝送方法及び伝送プログラムに関するものである。
【背景技術】
【０００２】
光信号を中継するトランスポンダの一例が特許文献１（特願２００２−１６７７２６号公報）に開示されている。特許文献１には、従来のトランスポンの例として、受光素子１１に入射された赤外線の光エネルギーを電気エネルギー変換して各電気回路を駆動し、中央処理部１３は記憶部１４内に格納されている応答情報を読み出し、この応答情報に基づいて発光素子１６から応答信号となる信号光を発光するトランスポンダが示されている。
【特許文献１】特願２００２−１６７７２６号公報
【発明の開示】
【発明が解決しようとする課題】
【０００３】
しかし、従来のトランスポンダは、受信するクライアント信号のビットレートが、ＳＴＭ−６４／ＯＣ−１９２の場合は９．９５３２８Ｇｂｐｓで、１０ギガビットイーサネット（登録商標）の場合は１０．３１２５Ｇｂｐｓであるため、動作速度が異なることから、異なるレートの１０Ｇビット信号の設定周波数の違いを手動で切り替える必要があった。
【０００４】
（目的）
本発明の目的は、受信した複数のクライアント信号のビットレートが異なる場合でも、設定周波数の違いを手動で切り替える必要がないトランスポンダを提供することである。
【課題を解決するための手段】
【０００５】
上記目的を達成するため本発明は、信号を中継するトランスポンダであって、複数の受信信号の種類を識別する機能を有することを特徴とする。
【０００６】
上記構成によって、複数の受信信号の種類が自動的に識別される。
【発明の効果】
【０００７】
本発明によれば、受信した複数の受信信号のビットレートが異なる場合に従来手動で行う必要のあった周波数の設定が、受信した受信信号に応じて自動的に設定されるという効果を達成する。
【０００８】
その理由は、複数の受信信号の種類を識別する機能を有するため、複数の受信信号の種類を自動的に識別できるからである。
【発明を実施するための最良の形態】
【０００９】
（第１の実施の形態）
本発明による第１の実施の形態のトランスポンダを、図面を用いて詳細に説明する。
【００１０】
（第１の実施の形態の構成）
図１は、本実施の形態のトランスポンダの構成を示すブロック図である。
【００１１】
図１を参照すると、本実施の形態のトランスポンダ１０は、光通信において、接続する光ファイバとの間で光信号と電気信号との双方向変換を行うものであり、光信号送受信部１１と、ＷＤＭ（Ｗａｖｅｌｅｎｇｔｈ  Ｄｉｖｉｓｉｏｎ  Ｍｕｌｔｉｐｌｅｘｉｎｇ：波長分割多重）信号送受信部１２と、ＯＵＴ（Ｏｐｔｉｃａｌ  ｃｈａｎｎｅｌ  Ｔｒａｎｓｐｏｒｔ  Ｕｎｉｔ：光チャネル伝送ユニット）マッピング処理部１３と、ＯＵＴデマッピング処理部１４と、クライアント信号判別部１５と、ＰＬＬ（Ｐｈａｓｅ−Ｌｏｃｋｅｄ  Ｌｏｏｐ：位相同期回路）セレクター１６と、ＰＬＬセレクター１７と、可変オシュレータ２１〜２４とを備える。なお、クライアント信号判別部１５以外の各構成要素は周知であるため、これらについての詳細な説明は省略する。
【００１２】
光信号送受信部１１は、外部から入力された光信号（クライアント信号）を電気信号に変換する機能を有する光信号受信手段１１１と、ＯＵＴデマッピング処理部１３においてデマッピングされた電気信号を光信号に変換して外部に出力する機能を有する光信号送信手段１１２とを備える。
【００１３】
ＷＤＭ信号送受信部１２は、ＯＵＴマッピング処理部１２においてＯＴＵフレームにマッピングされた電気信号を光信号に変換して波長分割多重により外部に出力するＷＤＭ信号送信手段１２１と、外部から入力されたＷＤＭ信号を電気信号に変換する機能を有するＷＤＭ信号受信手段１２２とを備える。
【００１４】
ＯＵＴマッピング処理部１３は、光信号受信手段１１１から送られた電気信号をＯＴＵフレームにマッピングする機能を有する。
【００１５】
ＯＵＴデマッピング処理部１４は、ＷＤＭ信号受信手段１２２から送られた電気信号をＯＴＵフレームからクライアント信号にデマッピングする機能を有する。
【００１６】
クライアント信号判別部１５は、光信号受信手段１１１から送られ電気信号に基づいて、光信号送受信部１１において受信したクライアント信号の種類を識別する機能と、識別結果に基づいて、ＰＬＬを制御するために、動作するＰＬＬを選択する制御信号をＰＬＬセレクター１６又はＰＬＬセレクター１７に対して送る機能とを有する。
【００１７】
ＰＬＬセレクター１６及びＰＬＬセレクター１７は、クライアント信号判別回路１５からの制御信号によって、動作するＰＬＬを選択する機能を有し、ＰＬＬセレクター１６はＯＵＴマッピング処理部１３及び可変オシュレータ２１及び可変オシュレータ２２に接続し、ＰＬＬセレクター１７はＯＵＴデマッピング処理部１４及び可変オシュレータ２３及び可変オシュレータ２４に接続する。
【００１８】
可変オシュレータ２１〜可変オシュレータ２４はＰＬＬ用発振器であり、このうち、可変オシュレータ２１及び可変オシュレータ２３はＳＴＭ−６４用可変オシュレータであり、可変オシュレータ２２及び可変オシュレータ２４は１０ギガビットイーサネット（登録商標）用可変オシュレータである。また、可変オシュレータ２１及び可変オシュレータ２２はＰＬＬセレクター１６及びＯＵＴマッピング処理部１３に接続し、可変オシュレータ２３及び可変オシュレータ２４はＰＬＬセレクター１７及びＯＵＴデマッピング処理部１４に接続する。
【００１９】
ここで、本発明の特徴的な構成であるクライアント信号判別部１５をさらに詳細に説明する。
【００２０】
図２は、本実施の形態のクライアント信号判別部の構成を示すブロック図である。
【００２１】
図２を参照すると、クライアント信号判別部１５は、光信号受信手段１１１から送られた電気信号のフレームの種類を判定する機能を有するフレーム同期バイト判定手段１５１を備える。
【００２２】
図３は、本実施の形態のフレーム同期バイト判定手段の構成を示すブロック図である。
【００２３】
図３を参照すると、フレーム同期バイト判定手段１５１は、６４Ｂ／６６Ｂ符号同期ビット判定回路１５１１ａ、Ａ１Ａ２バイト判定回路１５１１ｂ等を有して光信号受信手段１１１から送られた電気信号のフレームの種類を判定する判定回路１５１０と、ＰＬＬ選択制御回路１５１２とを備える。
【００２４】
６４Ｂ／６６Ｂ符号同期ビット判定回路１５１１ａは、光信号受信手段１１１から送られた電気信号に６４Ｂ／６６Ｂ符号同期ビットが含まれていた場合に応答し、可変オシュレータ１２及び可変オシュレータ１４の選択を指示する制御信号をＰＬＬ選択制御回路１５１０に対して通知する機能を有する。
【００２５】
Ａ１Ａ２バイト判定回路１５１１ｂは、光信号受信手段１１１から送られた電気信号にＡ１Ａ２バイトが含まれていた場合に応答し、可変オシュレータ１１及び可変オシュレータ１３の選択を指示する制御信号をＰＬＬ選択制御回路１５１０ｂに対して通知する機能を有する。
【００２６】
ＰＬＬ選択制御回路１５１２は、６４Ｂ／６６Ｂ符号同期ビット判定回路１５１１ａ、Ａ１Ａ２バイト判定回路１５１１ｂ等の判定回路１５１０から通知された制御信号に基づいて、ＰＬＬセレクター１６及びＰＬＬセレクター１７を制御する機能を有する。
【００２７】
なお、判定回路１５１０が、６４Ｂ／６６Ｂ符号やＡ１Ａ２バイト以外の他の信号に応答する判定回路１５１１ｎを有する場合、当該判定回路１５１１ｎは、６４Ｂ／６６Ｂ符号同期ビット判定回路１５１１ａやＡ１Ａ２バイト判定回路１５１１ｂと同様の機能を有し、より複数の信号の種類を判定することができる。
【００２８】
図４は、本実施の形態のトランスポンダを複数備える伝送システムの構成を示すブロック図である。なお、本伝送システムの構成の説明は、上述した本実施の形態のトランスポンダの構成によって説明することができるため省略する。
【００２９】
ここで、クライアント信号判別部１５のハードウェア構成の説明をする。
【００３０】
図５は、本実施の形態によるクライアント信号判別部１５のハードウェア構成例を示すブロック図である。
【００３１】
図５を参照すると、本発明によるクライアント信号判別部１５は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）１００１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部１００２、ネットワーク２０００を介してデータの送受信を行う通信制御部１００３、周辺機器と接続してデータの送受信を行うインタフェース部１００４、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部１００５、本情報処理装置の上記各構成要素を相互に接続するシステムバス１００７等を備えている。
【００３２】
本発明によるクライアント信号判別部１５は、その動作を、クライアント信号判別部１５内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上述した各構成要素の各機能を提供するプログラムを、コンピュータ処理装置上のＣＰＵ１００１で実行することにより、ソフトウェア的に実現することができる。
【００３３】
すなわち、ＣＰＵ１００１は、補助記憶部１００５に格納されているプログラムを、主記憶部１００２にロードして実行し、クライアント信号判別部１５の動作を制御することにより、上述した各機能をソフトウェア的に実現する。
【００３４】
（第１の実施の形態の動作）
図６は、本実施の形態のクライアント信号判別部の動作を示すフローチャートである。
【００３５】
図６を参照すると、クライアント信号判別部１５は、光信号受信手段１１１からクライアント信号を入力されると（ステップＳ１０１）、判定回路１５１０において、当該クライアント信号の種類を識別する（ステップＳ１０２）。
【００３６】
すなわち、判定回路１５１０は、当該クライアント信号にＳＯＮＥＴ／ＳＤＨのＡ１Ａ２バイトを検出すればＳＴＭ−６４／ＯＣ−１９２であると判定し、当該電気信号に６４Ｂ／６６Ｂ符号同期ビットを検出すれば１０ギガビットイーサネット（登録商標）であると判定する。
【００３７】
次いで、クライアント信号判別部１５は、判定結果に基づいて動作クロックを選択するために、可変オシュレータの選択を指示する制御信号を判定回路１５１０からＰＬＬ選択制御回路１５１０に対して送る（ステップＳ１０３）。
【００３８】
次いで、ＰＬＬ選択制御回路１５１２は、判定回路１５１０から通知された制御信号に基づいて、ＰＬＬセレクター１６及びＰＬＬセレクター１７を制御して動作クロックを選択する（ステップＳ１０４）。
【００３９】
（第１の実施の形態の効果）
本実施の形態によれば、従来手動で行う必要のあったＳＴＭ−６４／ＯＣ１９２と１０ギガビットイーサネット（登録商標）の切り替えを、入力された信号によって自動で切り替えることができる効果が得られる。
【００４０】
その理由は、判定回路１５１０が、クライアント信号のフレームから、ＳＴＭ−６４／ＯＣ−１９２信号に特有なＡ１Ａ２バイトを６４Ｂ／６６Ｂ符号同期ビット判定回路１５１１ａにおいて検出し、１０ギガビットイーサネット（登録商標）信号に特有な６４Ｂ／６６Ｂ符号同期ビットをＡ１Ａ２バイト判定回路１５１１ｂにおいて検出し、選択する可変オシュレータを指示する制御信号を送信することによって、自動的に動作クロックを選択するからである。
【００４１】
（第２の実施の形態）
本発明による第２の実施の形態のトランスポンダを、図面を用いて詳細に説明する。
【００４２】
（第２の実施の形態の構成）
図７は、本実施の形態のトランスポンダにおけるクライアント信号判別部の構成を示すブロック図である。
【００４３】
図７を参照すると、本実施の形態におけるクライアント信号判別部１５は、光信号受信手段１１１から送られたクライアント信号の種類をクロック周波数に基づいて判定する機能を有するものであり、フレーム同期バイト判定手段１５１の代わりに、周波数カウンタ１５２と、リファレンスクロック１５３と、判定回路１５４と、ＰＬＬ選択制御回路１５５とを備える点で第１の実施の形態におけるクライアント信号判別部１５と相違する。
【００４４】
周波数カウンタ１５２は、光信号受信手段１１１から送られたクロック信号を入力し、入力したクロック信号の入力周波数をリファレンスクロック１５３を基準クロックとしてカウントし、カウント結果を判定回路１５４に通知する機能を有する。
【００４５】
判定回路１５４は、周波数カウンタ１５２から通知されたカウント結果に基づいて、光信号受信手段１１１から送られたクロック信号の種別を判定し、判定結果に基づいて、選択する可変オシュレータを指示する制御信号をＰＬＬ選択制御回路１５５対して送る機能を有する。
【００４６】
ＰＬＬ選択制御回路１５５は、第１の実施の形態におけるＰＬＬ選択制御回路１５１２と同様の機能を有するものであり、判定回路１５４から通知された制御信号に基づいてＰＬＬセレクター１６及びＰＬＬセレクター１７を制御する機能を有する。
【００４７】
（第２の実施の形態の動作）
図８は、本実施の形態のクライアント信号判別部の動作を示すフローチャートである。
【００４８】
図８を参照すると、クライアント信号判別部１５は、光信号受信手段１１１からクライアント信号を入力されると（ステップＳ２０１）、周波数カウンタ１５２が、入力したクロック信号の入力周波数をリファレンスクロック１５３を基準としてカウントし（ステップＳ２０２）、判定回路１５４が、カウント結果に基づいて、当該クライアント信号の種類を識別する（ステップＳ２０３）。
【００４９】
次いで、クライアント信号判別部１５は、判定結果に基づいて動作クロックを選択するために、可変オシュレータの選択を指示する制御信号を判定回路１５４からＰＬＬ選択制御回路１５５に対して送る（ステップＳ２０４）。
【００５０】
次いで、ＰＬＬ選択制御回路１５５は、判定回路１５４から通知された制御信号に基づいて、ＰＬＬセレクター１６及びＰＬＬセレクター１７を制御して動作クロックを選択する（ステップＳ２０５）。
【００５１】
（第２の実施の形態の効果）
本実施の形態によれば、第１の実施の形態と同様に、従来手動で行う必要のあったＳＴＭ−６４／ＯＣ１９２と１０ギガビットイーサネット（登録商標）の切り替えを、入力された信号によって自動で切り替えることができる効果が得られる。
【００５２】
その理由は、周波数カウンタ１５２が、入力したクロック信号の入力周波数をリファレンスクロック１５３を基準としてカウントし、判定回路１５４が、カウント結果に基づいて、当該クライアント信号の種類を識別し、選択する可変オシュレータを指示する制御信号を送信することによって、自動的に動作クロックを選択するからである。
【００５３】
以上好ましい実施の形態をあげて本発明を説明したが、本発明は必ずしも、上記実施の形態に限定されるものでなく、その技術的思想の範囲内において様々に変形して実施することができる。
【産業上の利用可能性】
【００５４】
ＷＤＭ伝送システムに用いられる１０Ｇｂ／ｓトランスポンダに本発明を適用できる。
【図面の簡単な説明】
【００５５】
【図１】本発明による第１の実施の形態のトランスポンダの構成を示すブロック図である。
【図２】第１の実施の形態のクライアント信号判別部の構成を示すブロック図である。
【図３】第１の実施の形態のフレーム同期バイト判定手段の構成を示すブロック図である。
【図４】第１の実施の形態のトランスポンダを複数備える伝送システムの構成を示すブロック図である。
【図５】第１の実施の形態のクライアント信号判別部のハードウェア構成を示すブロック図である。
【図６】第１の実施の形態のクライアント信号判別部の動作を示すフローチャートである。
【図７】本発明による第２の実施の形態のトランスポンダにおけるクライアント信号判別部の構成を示すブロック図である。
【図８】第２の実施の形態のクライアント信号判別部の動作を示すフローチャートである。
【符号の説明】
【００５６】
１０：トランスポンダ
１１：光信号送受信部
１１１：光信号受信手段
１１２：光信号送信手段
１２：ＷＤＭ信号送受信部
１２１：ＷＤＭ信号送信手段
１２２：ＷＤＭ信号受信手段
１３：ＯＵＴマッピング処理部
１４：ＯＵＴデマッピング処理部
１５：クライアント信号判別部
１５１：フレーム同期バイト判定手段
１５１０、１５１１ｎ：判定回路
１５１１ａ：６４Ｂ／６６Ｂ符号同期ビット判定回路
１５１１ｂ：Ａ１Ａ２バイト判定回路
１５１２：ＰＬＬ選択制御回路
１５２：周波数カウンタ
１５３：リファレンスクロック
１５４：判定回路
１５５：ＰＬＬ選択制御回路
１６、１７：ＰＬＬセレクター
２１〜２４：可変オシュレータ
１００１：ＣＰＵ
１００２：主記憶部
１００３：通信制御部
１００４：インタフェース部
１００５：補助記憶部
１００６：システムバス
２０００：ネットワーク
【図１】
2008227792.tif 000003
【図２】
2008227792.tif 000004
【図３】
2008227792.tif 000005
【図４】
2008227792.tif 000006
【図５】
2008227792.tif 000007
【図６】
2008227792.tif 000008
【図７】
2008227792.tif 000009
【図８】
2008227792.tif 000010